(57)【要約】      （修正有）【課題】アルコールを用いずにヨウ素系の消毒剤を拭き取るタオルを提供する。【解決手段】タオル１は、不織布、織布又は脱脂綿シートにし、チオ硫酸ナトリウムの水溶液を含浸している。タオル１は、包装袋２に封入し、包装状態で患者の体温程度に加温可能にしている。タオル１の包装形態は、使用時の折り畳み厚板形態又はその折り畳み厚板形態を棒形状に巻いた巻物形態にしている。タオル１は、個別包装している。【選択図】図１
0003176772.tif 000002
【実用新案登録請求の範囲】
【請求項１】
患者の皮膚に付着したヨウ素系の消毒剤を拭き取るタオルであって、
タオルは、不織布、織布又は脱脂綿シートにし、チオ硫酸ナトリウムの水溶液を含浸し、エタノールを含浸しないノンアルコールにしていることを特徴とする消毒剤拭取タオル。
【請求項２】
タオルは、包装袋に封入し、包装状態で患者の体温程度に加温可能にしていることを特徴とする請求項１に記載の消毒剤拭取タオル。
【請求項３】
タオルは、使用時の折り畳み厚板形態又はその折り畳み厚板形態を棒形状に巻いた巻物形態で包装していることを特徴とする請求項２に記載の消毒剤拭取タオル。
【請求項４】
使用時の折り畳み厚板形態は、タオルは三つ折にして扁平筒状にし扁平筒の一端の開口側部分を折り返して二つ折りにした形態にしていることを特徴とする請求項３に記載の消毒剤拭取タオル。
【請求項５】
タオルは、個別包装していることを特徴とする請求項２、３又は４に記載の消毒剤拭取タオル。
【請求項６】
タオルは、レトルト用の包装袋に封入して高圧蒸気滅菌していることを特徴とする請求項２、３、４又は５に記載の消毒剤拭取タオル。
【考案の詳細な説明】
【技術分野】
【０００１】
本考案は、患者の皮膚に付着したヨウ素系の消毒剤を拭き取る技術に関する。
【背景技術】
【０００２】
医療機関において、手術前、患者は皮膚の切開予定部分を含む広い範囲を消毒する。消毒剤のポビドンヨード製剤を塗布する。患者の皮膚は、消毒部分がポビドンヨード製剤の黒褐色になる。手術後、皮膚に付着している黒褐色のポビドンヨード製剤を拭き取る。この拭取は、切開痕の創傷部分では、生理食塩水と不織布を使用する。その他の部分では、水道水と不織布を使用する。
【０００３】
ポビドンヨード製剤の塗布から拭取までの時間が長くなると、ポビドンヨード製剤中のヨウ素の皮膚への付着力が強くなる。皮膚に付着しているポビドンヨード製剤は、生理食塩水や水道水では十分に拭き取ることができなくなる。このようなときには、生理食塩水や水道水に替えて、ヨウ素を脱色するハイポアルコール製剤を使用する。ハイポアルコール製剤は、チオ硫酸ナトリウムのエタノール溶液である。主成分がチオ硫酸ナトリウムとエタノールである。
【０００４】
特許文献１は、ポビドンヨード製剤中のヨウ素の脱色効果と消毒効果を同時に発揮させるため、チオ硫酸ナトリウムとアルコール水溶液を含浸させたセルロース繊維含有シートを開示している。
【先行技術文献】
【特許文献】
【０００５】
【特許文献１】特願２０１０−１８９８１４号公報
【非特許文献】
【０００６】
【非特許文献１】矢野修二郎、外２名、「ヨード製剤外用後の脱色製剤が皮膚温に及ぼす影響とチオ硫酸ナトリウム液の効果」、臨床体温、日本臨床体温研究会、２００７年、第２５巻、第１号、ｐ．５６−５６
【考案の概要】
【考案が解決しようとする課題】
【０００７】
［課  題］
患者の皮膚に付着したヨウ素系消毒剤の拭取に使用するハイポアルコール製剤は、エタノールを含有している。ハイポアルコール製剤を使用するときには、患者がエタノールに対してアレルギーを起こすか否かの検査、アルコール過敏症の検査をする。検査の手間が掛かる。その上、アルコール過敏症の患者には、使用することができない。
【０００８】
また、ハイポアルコール製剤は、エタノールを含有し、揮発性が高い。非特許文献１に記載されているように、ハイポアルコールは、患者の皮膚に付着すると、気化し、気化熱を患者の皮膚から奪う。患者は、中枢部から抹消部に熱移動が起こり、体温低下が危惧される。エタノールの気化熱に基づいて患者の体温低下が起こる。
【０００９】
更に、ハイポアルコール製剤は、患者の体温より低い温度、例えば室温の状態で、患者の皮膚に触れると、患者は冷たく感ずる。患者の皮膚からハイポアルコール製剤に温度差によって熱移動が起こる。ハイポアルコール製剤と患者の皮膚の温度差に基づいて患者の体温低下が起こる。
【００１０】
［着  眼］
１．ハイポアルコール製剤は、チオ硫酸ナトリウムがヨウ素を脱色する作用をする。エタノールは消毒の作用をする。ヨウ素系消毒剤の拭取は、手術後に行う。エタノールによる消毒の必要性は、高くない。チオ硫酸ナトリウムは、水に溶け易い。
２．ヨウ素系消毒剤の拭取には、タオルが便利である。タオルは、材料を不織布、織布又は脱脂綿シートにする。ぬれタオルは、包装袋に封入すると、衛生的に簡単に加温することができる。患者は、ぬれタオルの温度が患者の体温程度、３６〜４０℃弱であると、ぬれタオルの接触で冷たく感じない。
３．ぬれタオルは、加温した後、平板状に展開した薄板状態にすると、外気と接する面積が多く、冷却され易い。折り畳んだ厚板形態にすると、又は、棒形状に巻いた巻物形態にすると、外気と接する面積が少なく、冷却され難い。
４．清拭用のタオルの使用者は、ほぼ正方形状のタオルを三つ折にして長方形の扁平筒状にする。扁平筒状のタオルは、一端の開口側の半分位に片手の親指以外の４本の指を挿入し、他の半分位を手の平側に折り返して二つ折りにする。その片手の親指と人差し指でタオルを挟んで固定しつつ、タオルの折り返し部分で患者の皮膚を清拭する。
５．タオルは、沸点の低いエタノールを含んでいないと、加熱殺菌が可能になる。
【００１１】
［構  想］
１．不織布、織布又は脱脂綿シートのタオルに、チオ硫酸ナトリウムの水溶液を含浸させる。エタノールを含浸させない。ノンアルコールにする。
このタオルは、チオ硫酸ナトリウムの水溶液を含浸しているので、ヨウ素系消毒剤のヨウ素を脱色する作用をする。エタノールを含浸していないので、アルコール過敏症の患者にも使用することができる。また、エタノールの気化熱に基づく患者の体温低下がない。エタノールに基づく弊害がない。
２．チオ硫酸ナトリウムの水溶液を含浸させたタオルは、包装袋に封入する。包装状態で患者の体温程度に加温可能にする。
このタオルは、包装状態で患者が冷たく感じない程度に加温することができる。加温が衛生的で簡単になる。
【００１２】
３．タオルは、折り畳んだ厚板形態又は棒形状に巻いた巻物形態で、包装袋に封入する。
3.1タオルの折り畳んだ厚板形態は、タオルの使用時の形態にする。即ち、タオルは、三つ折にして扁平筒状にし、扁平筒の一端の開口側部分を折り返して二つ折りにする。
タオルは、使用時の折り畳み厚板形態で包装してあると、開封後、直ちに使用することができる。折り畳む手間が掛からない。加温した場合は、折り畳む時間の経過による温度低下がない。折り畳み片の空気に対する相対移動による温度低下がない。また、折り畳み厚板形態は、開封後、外気と接する面積が少なく、冷却し難い。
その上、タオルは、折り畳み厚板形態で包装すると、平板状に展開した薄板状態で包装するときより、包装資材が少量で済む。
3.2 タオルの棒形状に巻いた巻物形態は、使用時の折り畳み厚板形態を棒形状に巻いた巻物形態にする。
タオルは、この巻物形態で包装してあると、開封後、巻物形態を折り畳み厚板形態に展開して使用することができる。その展開作業は容易である。加温した場合は、巻物形態は、開封後、外気と接する面積が少なく、冷却し難い。
その上、タオルは、折り畳み厚板形態を棒形状に巻いた巻物形態で包装すると、折り畳み厚板形態で包装するときより、包装資材が少量で済む。
3. 3 結局、タオルは、包装資材が少量で済む形態で、開封後使用し易く冷却し難い形態で包装する。
【００１３】
４．タオルは、一枚ずつ個別包装する。
タオルは、必要枚数だけ加温することができる。必要枚数だけ開封することができる。使用に当たり無駄が出ない。多数枚を一括包装すると、使用予定のないものまで、加温することになる。開封することになる。
５．タオルは、包装状態で高圧蒸気滅菌する。
【課題を解決するための手段】
【００１４】
１．患者の皮膚に付着したヨウ素系の消毒剤を拭き取るタオルであって、
タオルは、不織布、織布又は脱脂綿シートにし、チオ硫酸ナトリウムの水溶液を含浸し、エタノールを含浸しないノンアルコールにしていることを特徴とする消毒剤拭取タオル。
２．上記１の消毒剤拭取タオルにおいて、
タオルは、包装袋に封入し、包装状態で患者の体温程度に加温可能にしていることを特徴とする。
３．上記２の消毒剤拭取タオルにおいて、
タオルは、使用時の折り畳み厚板形態又はその折り畳み厚板形態を棒形状に巻いた巻物形態で包装していることを特徴とする。
４．上記３の消毒剤拭取タオルにおいて、
使用時の折り畳み厚板形態は、タオルは三つ折にして扁平筒状にし扁平筒の一端の開口側部分を折り返して二つ折りにした形態にしていることを特徴とする。
５．上記２、３又は４の消毒剤拭取タオルにおいて、
タオルは、個別包装していることを特徴とする。
６．上記２、３、４又は５の消毒剤拭取タオルにおいて、
タオルは、レトルト用の包装袋に封入して高圧蒸気滅菌していることを特徴とする。
【考案の効果】
【００１５】
使用前のアルコール過敏症の検査が不要になる。アルコール過敏症の患者にも使用することができる。使用時、エタノールの気化熱に基づく患者の体温低下がない。エタノールに基づく弊害がない。
また、包装袋に封入したタオルは、患者の体温程度に加温する場合、加温が衛生的で簡単である。
また、使用時の折り畳み厚板形態又はその厚板形態を棒形状に巻いた巻物形態で包装したタオルは、包装資材が少量で済む。開封後使用し易い。加温した場合、開封後冷却し難い。
また、個別包装したタオルは、使用に当たり無駄が出ない。
【図面の簡単な説明】
【００１６】
【図１】本考案の実施形態における消毒剤拭取タオルの包装状態の正面図。
【図２】図１のＡ−Ａ線断面図。
【図３】同消毒剤拭取タオルの材料とその折り畳み方を示す平面図。
【図４】同材料の折り畳み方と巻き方を示す図。
【図５】同消毒剤拭取タオルに使用者の右手の親指以外の４本の指を挿入した状態の平面図。
【考案を実施するための形態】
【００１７】
［概  要］
実施形態の消毒剤拭取タオルは、図１と図２に示すように、チオ硫酸ナトリウム水溶液の拭取用液体を含浸した不織布１を巻物形態にして包装袋２に封入している。不織布のタオル１は、一枚を一枚の包装袋２に封入している。個別包装している。
【００１８】
［構  成］
タオルは、図３の上段に示すように、材料を方形状の不織布１にしている。不織布１は、材料を綿繊維とリヨセル繊維にしている。形と大きさは、拭取作業が行い易い形状寸法にしている。実施例では、３００×２７５ｍｍのほぼ正方形状にしている。
【００１９】
ほぼ正方形状の不織布１は、図３の下段に示すように、左右の側部を左右の折り線位置６で同側に折り返す。三つ折にする。左右の折り返し片は重ねる。図４の上段に示すように、縦長の長方形状の扁平筒状にする。この縦長の扁平筒状の不織布１は、上部を折り線位置７で折り返す。二つ折りにする。図４の中段に示すように、縦方向の長さを減らした縦長の二つ折り扁平筒状にする。扁平筒の上端の開口を閉鎖する。即ち、使用時の形態、折り畳み厚板形態にする。使用時の折り畳み厚板形態の不織布１は、縦方向を湾曲して棒形状に巻く。図４の下段に示すように、巻物形態にする。包装用の形態にする。
【００２０】
拭取用液体は、主成分をチオ硫酸ナトリウムの水溶液にしている。チオ硫酸ナトリウムの水溶液は、チオ硫酸ナトリウムの五水和物を水に溶解している。拭取用液体は、チオ硫酸ナトリウムの水溶液に保湿剤、防腐剤と中和剤を添加している。しかし、拭取用液体は、エタノールを含有していない。ノンアルコールにしている。また、防腐剤のパラベンは、含有していない。ノンパラベンにしている。実施例では、拭取用液体はチオ硫酸ナトリウムの配合割合を８％にしている。
なお、チオ硫酸ナトリウムとその五水和物は、化学式がＮａ2Ｓ2Ｏ3とＮａ2Ｓ2Ｏ3・５Ｈ2Ｏである。俗称がハイポである。
【００２１】
包装袋２は、包装用シートを筒形状に湾曲して包装用シートの両端を溶着している。包装用シートを筒にしている。包装用シートは、ポリエチレンフイルムやアルミニウム箔などを積層した複合シートにしている。筒形状の包装袋には、拭取用液体を含浸した巻物形態の不織布のタオル１を挿入している。筒形状の包装袋は、筒の両端を溶着して閉鎖している。拭取用液体を含浸した巻物形態のタオル１は、図１と図２に示すように、包装袋２に密封している。
包装袋２とその中のタオル１は、温度が６０℃位までの加温に耐える熱特性、耐熱性にしている。患者の体温程度に加温可能にしている。
【００２２】
なお、不織布は材料の繊維が異なる各種のものがあるが、ほとんどの種類の不織布は耐熱温度が６０℃以上であり、温度が６０℃位までの加温に耐える。また、包装用の合成樹脂フイルムはポリエチレンやポリプロプレンなど各種のものがあるが、ほとんどの種類のフイルムは耐熱温度が６０℃以上である。包装用の金属箔、アルミニウム箔は耐熱温度が６０℃以上である。多くの種類の包装用シートは、温度が６０℃位までの加温に耐える。
【００２３】
［使用方法］
消毒剤拭取タオル１を使用する場合、包装袋２に封入したタオル１は、封入したままの包装状態で加温装置に入れ、加温用温度の雰囲気中に置く。加温用温度は、４０℃弱〜６０℃位にしている。実施例では、約６０℃にしている。
【００２４】
包装袋２中のタオル１が患者の体温位の温度を超えれば、例えば４０℃弱になれば、包装袋２に封入したタオル１は、加温装置から取り出す。そして、包装袋２は、破って開口し、巻物形態のタオル１を取り出す。その巻物形態のタオル１は、平板状に展開する。図４の中段に示す使用時の折り畳み厚板形態、二つ折り扁平筒状にする。二つ折り扁平筒状のタオル１は、図５に示すように、下端の開口から片手ｈの親指以外の４本の指を挿入し、上部の折り返し部分を手ｈの平側に配置する。その片手ｈの親指と人差し指で二つ折り扁平筒状のタオル１を挟んで固定する。使用者は、二つ折り扁平筒状のタオル１を片手ｈで固定しつつ、上部の折り返し部分で、患者の皮膚に付着しているヨウ素系の消毒剤、例えばポビドンヨード製剤を拭き取る。
【００２５】
［作用効果］
拭取の際、タオル１に含浸しているチオ硫酸ナトリウムが消毒剤のヨウ素を脱色する。無色にする。タオル１は、ノンアルコールである。アルコール過敏症の検査が不要である。アルコール過敏症の患者にも使用する。使用時、エタノールの気化熱に基づく患者の体温低下がない。また、タオル１は、温度が患者の体温程度、３６〜４０℃弱である。患者は、タオル１の接触で冷たく感じない。タオル１と患者の皮膚との温度差に基づく患者の体温低下が起こらない。患者は、不快にならない。
【００２６】
［変更例］
１．上記の実施形態において、タオル１は、不織布にしているが、織布又は脱脂綿シートにする。織布には織布ガーゼが例示される。なお、脱脂綿シートとは、脱脂綿を薄板状にしたシートである。
２．上記の実施形態において、タオル１の包装時の形態は、使用時の折り畳み厚板形態を棒形状に巻いた巻物形態にしているが、使用時の形態に折り畳んだだけで巻いていない使用時の折り畳み厚板形態にする。開封後、巻物形態から平板状に展開する手間が掛からない。
３．上記の実施形態において、タオル１は、包装袋２に封入した状態で滅菌していないが、耐熱性の高いレトルト用の包装袋に封入して高圧蒸気滅菌する。
【符号の説明】
【００２７】
１  タオル、不織布
２  包装袋
６  折り線位置
７  折り線位置
ｈ  使用者の右手、片手
【図１】
0003176772.tif 000003
【図２】
0003176772.tif 000004
【図３】
0003176772.tif 000005
【図４】
0003176772.tif 000006
【図５】
0003176772.tif 000007